(57)【要約】【課題】モバイルバンキングのための好適なユーザインタフェースを提供する。【解決手段】モバイル端末は、ユーザが１つ以上の金融機関に保持する複数の口座に対応する複数の口座カード６０をタッチスクリーンに並べて表示させる。モバイル端末は、第１の口座カード６０を選択可能な状態でタッチスクリーンに表示させる場合に、第１の口座カード６０とは異なる第２の口座カード６０の一部をタッチスクリーンにさらに表示させる。モバイル端末は、複数の口座カード６０のうちユーザにより選択された口座カード６０に対応する口座から、他の口座へ送金するための処理を実行する。【選択図】図３
2020027500.tif 000002
【特許請求の範囲】
【請求項１】
タッチスクリーンと、
ユーザが１つ以上の金融機関に保持する複数の口座に対応する複数のカードを前記タッチスクリーンに並べて表示させる表示制御部と、
前記複数のカードのうちユーザにより選択されたカードに対応する口座から、他の口座へ送金するための処理を実行する送金部と、
を備え、
前記表示制御部は、第１のカードを選択可能な状態で前記タッチスクリーンに表示させる場合に、前記第１のカードとは異なる第２のカードの一部を前記タッチスクリーンにさらに表示させるモバイル端末。
【請求項２】
タッチスクリーンと、
ユーザが１つ以上の金融機関に保持する複数の口座に対応する複数のカードを前記タッチスクリーンに並べて表示させる表示制御部と、
前記複数のカードのうちユーザにより選択されたカードに対応する口座から、他の口座へ送金するための処理を実行する送金部と、
を備え、
前記表示制御部は、前記複数のカードのそれぞれに、各カードに対応する口座の資金量を表示させ、１つのカードに対する所定の操作が入力された場合、前記１つのカードにおいて資金量を非表示とするとともに、前記１つのカード以外の他のカードにおける資金量も非表示とするモバイル端末。
【請求項３】
タッチスクリーンと、
ユーザが１つ以上の金融機関に保持する複数の口座に対応する複数のカードを前記タッチスクリーンに並べて表示させる表示制御部と、
前記複数のカードのうち第１のカードに対して所定のタッチ操作が入力され、前記第１のカードとは異なる第２のカードに対して所定のタッチ操作が入力された場合、前記第１のカードに対応する口座から、前記第２のカードに対応する口座へ送金するための処理を実行する送金部と、
を備えるモバイル端末。
【請求項４】
撮像部と、
タッチスクリーンと、
ユーザが１つ以上の金融機関に保持する複数の口座に対応する複数のカードを前記タッチスクリーンに並べて表示させる表示制御部と、
送金部とを備え、
前記表示制御部は、前記複数のカードそれぞれの表面に、各カードに対応する口座の資金量を表示させ、１つのカードに対する所定の操作が入力された場合、前記１つのカードを裏返し、前記１つのカードの裏面に、前記１つのカードに対応する口座の情報をコード化した画像を表示させ、
前記送金部は、前記撮像部により他の端末に表示された前記画像が撮像された場合、前記画像が示す口座へ送金するための処理を実行するモバイル端末。
【請求項５】
タッチスクリーンを備えるモバイル端末に、
ユーザが１つ以上の金融機関に保持する複数の口座に対応する複数のカードを前記タッチスクリーンに並べて表示させる機能と、
前記複数のカードのうちユーザにより選択されたカードに対応する口座から、他の口座へ送金するための処理を実行する機能と、
を実現させ、
前記表示させる機能は、第１のカードを選択可能な状態で前記タッチスクリーンに表示させる場合に、前記第１のカードとは異なる第２のカードの一部を前記タッチスクリーンにさらに表示させるコンピュータプログラム。
【発明の詳細な説明】
【技術分野】
【０００１】
本発明はデータ処理技術に関し、特にモバイル端末およびコンピュータプログラムに関する。
【背景技術】
【０００２】
現在、スマートフォン等のモバイル端末を使用して金融機関のサービスを利用すること（以下「モバイルバンキング」とも呼ぶ。）が広く普及している（例えば、特許文献１参照）。
【先行技術文献】
【特許文献】
【０００３】
【特許文献１】特開２０１２−２１６０２６号公報
【発明の概要】
【発明が解決しようとする課題】
【０００４】
モバイルバンキング利用率の向上が見込まれる中、モバイルバンキングにはユーザビリティの一層の向上が求められている。
【０００５】
本発明は、上記課題に鑑みてなされたものであり、１つの目的は、モバイルバンキングのための好適なユーザインタフェースを提供することにある。
【課題を解決するための手段】
【０００６】
上記課題を解決するために、本発明のある態様のモバイル端末は、タッチスクリーンと、ユーザが１つ以上の金融機関に保持する複数の口座に対応する複数のカードをタッチスクリーンに並べて表示させる表示制御部と、複数のカードのうちユーザにより選択されたカードに対応する口座から、他の口座へ送金するための処理を実行する送金部と、を備える。表示制御部は、第１のカードを選択可能な状態でタッチスクリーンに表示させる場合に、第１のカードとは異なる第２のカードの一部をタッチスクリーンにさらに表示させる。
【０００７】
本発明の別の態様もまた、モバイル端末である。このモバイル端末は、タッチスクリーンと、ユーザが１つ以上の金融機関に保持する複数の口座に対応する複数のカードをタッチスクリーンに並べて表示させる表示制御部と、複数のカードのうちユーザにより選択されたカードに対応する口座から、他の口座へ送金するための処理を実行する送金部と、を備える。表示制御部は、複数のカードのそれぞれに、各カードに対応する口座の資金量を表示させ、１つのカードに対する所定の操作が入力された場合、１つのカードにおいて資金量を非表示とするとともに、１つのカード以外の他のカードにおける資金量も非表示とする。
【０００８】
本発明のさらに別の態様もまた、モバイル端末である。このモバイル端末は、タッチスクリーンと、ユーザが１つ以上の金融機関に保持する複数の口座に対応する複数のカードをタッチスクリーンに並べて表示させる表示制御部と、複数のカードのうち第１のカードに対して所定のタッチ操作が入力され、第１のカードとは異なる第２のカードに対して所定のタッチ操作が入力された場合、第１のカードに対応する口座から、第２のカードに対応する口座へ送金するための処理を実行する送金部と、を備える。
【０００９】
本発明のさらに別の態様もまた、モバイル端末である。このモバイル端末は、撮像部と、タッチスクリーンと、ユーザが１つ以上の金融機関に保持する複数の口座に対応する複数のカードをタッチスクリーンに並べて表示させる表示制御部と、送金部とを備える。表示制御部は、複数のカードそれぞれの表面に、各カードに対応する口座の資金量を表示させ、１つのカードに対する所定の操作が入力された場合、１つのカードを裏返し、１つのカードの裏面に、１つのカードに対応する口座の情報をコード化した画像を表示させ、送金部は、撮像部により他の端末に表示された画像が撮像された場合、画像が示す口座へ送金するための処理を実行する。
【００１０】
なお、以上の構成要素の任意の組合せ、本発明の表現を、方法、コンピュータプログラム、コンピュータプログラムを格納した記録媒体などの間で変換したものもまた、本発明の態様として有効である。
【発明の効果】
【００１１】
本発明によれば、モバイルバンキングのための好適なユーザインタフェースを提供することができる。
【図面の簡単な説明】
【００１２】
【図１】実施例に係るモバイルバンキングシステムの構成を示す図である。
【図２】図１のモバイル端末の機能ブロックを示すブロック図である。
【図３】送金Ａｐｐのトップ画面を模式的に示す図である。
【図４】図４（ａ）−図４（ｆ）は、送金Ａｐｐのログイン画面およびトップ画面を示す図である。
【図５】図５（ａ）−図５（ｆ）は、口座番号指定による送金時の画面遷移を示す図である。
【図６】図６（ａ）−図６（ｇ）は、電話番号指定による送金時の画面遷移を示す図である。
【図７】図７（ａ）−図７（ｅ）は、ユーザが保持する複数の口座間での送金時の画面遷移を示す図である。
【図８】図８（ａ）と図８（ｂ）は、登録済の振込先への送金時の画面遷移を示す図である。
【図９】図９（ａ）と図９（ｂ）は、二次元コード読み取りによる送金時の画面遷移を示す図である。
【発明を実施するための形態】
【００１３】
モバイルバンキングのユーザ（すなわちモバイル端末の操作者）による操作は、資金の移動に関する重大な操作であることが多い。本発明者は、モバイルバンキングのユーザビリティを高めるために、モバイルバンキングのユーザインタフェースが、ユーザに対して自己効力感（すなわち自分でも操作できるという感覚または認知）を提供できるユーザインタフェースであることが重要と考えた。
【００１４】
実施例におけるモバイルバンキング用のアプリケーションプログラム（以下「送金Ａｐｐ」とも呼ぶ。）は、ユーザが保持する１つの口座をアプリの画面上で１枚のカードとして表現し、ユーザが保持する複数の口座をアプリの画面上で複数枚のカードとして表現する。これにより、感覚的または直感的な操作による資金移動を実現させ、自分は送金Ａｐｐを使用することができる、という自己効力感をユーザに抱かせやすくなる。
【００１５】
図１は、実施例に係るモバイルバンキングシステム１０の構成を示す。モバイルバンキングシステム１０は、モバイル端末１２ａ、モバイル端末１２ｂ、モバイル端末１２ｃ、モバイル端末１２ｄ（総称する場合「モバイル端末１２」と呼ぶ。）と、金融機関装置１４ａ、金融機関装置１４ｂ、金融機関装置１４ｃ、金融機関装置１４ｄ（総称する場合「モバイル端末１２」と呼ぶ。）と、ＧＷ装置１６を備える。図１の各装置は、ＬＡＮ・ＷＡＮ・インターネットを含む通信網を介して接続される。
【００１６】
複数のモバイル端末１２は、モバイルバンキングを利用する複数のユーザにより操作される情報処理装置である。モバイル端末１２は、実施例ではスマートフォンとするが、タッチスクリーンを備える他の種類のモバイル端末（例えばタブレット端末）であってもよい。複数の金融機関装置１４は、モバイルバンキングサービスを提供する複数の金融機関（銀行や証券会社等）の情報処理装置である。複数の金融機関装置１４のそれぞれは、各金融機関の業務を実行する。
【００１７】
ＧＷ装置１６は、モバイル端末１２と金融機関装置１４との間でやり取りされるデータを仲介するゲートウェイ装置である。ＧＷ装置１６は、モバイル端末１２のユーザであり、すなわち、送金Ａｐｐを使用してモバイルバンキングサービスを利用するユーザの情報を記憶する。ユーザの情報は、ユーザの氏名、電話番号、口座情報（送金に必要な情報であり、例えば口座番号等）を含み、モバイル端末１２における送金Ａｐｐの初回起動時に、モバイル端末１２からＧＷ装置１６へ登録される。
【００１８】
なお、金融機関装置１４およびＧＷ装置１６は、モバイルバンキングにおける公知技術により実現されてよい。以下、モバイルバンキングサービスのユーザインタフェースを提供するモバイル端末１２の機能を詳細に説明する。
【００１９】
図２は、図１のモバイル端末１２の機能ブロックを示すブロック図である。本明細書のブロック図において示される各ブロックは、ハードウェア的には、コンピュータのＣＰＵ・メモリをはじめとする素子や機械装置で実現でき、ソフトウェア的にはコンピュータプログラム等によって実現されるが、ここでは、それらの連携によって実現される機能ブロックを描いている。これらの機能ブロックはハードウェア、ソフトウェアの組合せによっていろいろなかたちで実現できることは、当業者には理解されるところである。
【００２０】
モバイル端末１２は、タッチスクリーン２０、カメラ部２２、通信部２４、制御部２６、記憶部２８を備える。タッチスクリーン２０は、タッチパネルを含み、指やスタイラスによる各種タッチ操作（タップ操作、スワイプ操作、ピンチ操作等）の入力が可能なディスプレイである。カメラ部２２は、ユーザの操作に応じて、モバイル端末１２の周囲の空間や物体を撮像する。
【００２１】
通信部２４は、所定の通信プロトコルにしたがって外部装置と通信する。制御部２６は、各種データ処理を実行する。制御部２６は、通信部２４を介してＧＷ装置１６とデータを送受信する。記憶部２８は、制御部２６により参照され、および／または、更新されるデータを記憶する。記憶部２８は、メモリやストレージにより実現される。
【００２２】
記憶部２８は、登録口座記憶部３０とアドレス帳記憶部３４を含む。登録口座記憶部３０は、ユーザにより登録された口座の情報であり、ユーザが１つ以上の金融機関に保持する複数の口座に関する情報を記憶する。実施例では、ユーザは、１金融機関あたり１口座を開設可能であり、複数の口座は、異なる金融機関において開設されたものである。各口座の情報は、金融機関コード、店番号、口座番号、名義人氏名、口座に保持される資金量を含む。ユーザが金融機関に保持する口座は、ユーザが金融機関に開設した口座とも言える。また、口座に保持される資金量は、口座の預金高または残高とも言え、他の口座への送金可能金額とも言える。
【００２３】
アドレス帳記憶部３４は、モバイル端末１２におけるアドレス帳のデータを記憶する。アドレス帳のデータは、ユーザにより登録された他者の氏名や電話番号を含む。本明細書におけるアドレス帳に関する機能およびアドレス帳記憶部３４の機能は、モバイル端末１２に標準搭載された機能により実現されてもよく、または、モバイル端末１２に標準搭載された機能を呼び出すことにより実現されてもよい。
【００２４】
なお、実施例では、ユーザにより登録された振込先（言い換えれば送金先）の情報をＧＷ装置１６が記憶する。口座番号を指定した振込の場合、振込先の情報として、振込先口座の名義人名、金融機関コード、店番号、口座番号、ユーザのメモがＧＷ装置１６に登録される。一方、電話番号を指定した振込の場合、振込先の情報として、振込先口座の名義人名、電話番号、ユーザのメモがＧＷ装置１６に登録される。変形例として、ユーザにより登録された振込先の情報をモバイル端末１２が記憶してもよく、例えば、モバイル端末１２の記憶部２８は、振込先の情報を記憶する振込先記憶部をさらに含んでもよい。
【００２５】
制御部２６は、操作検出部４０、口座登録部４１、ログイン処理部４２、表示制御部４４、口座情報取得部４６、送金処理部４７、振込先登録部４８、カメラ起動部５０、画像取得部５２、画像解析部５４を含む。モバイル端末１２は、これら複数の機能ブロックに対応する複数のモジュールが実装された送金Ａｐｐ５６を、デジタルコンテンツの配信サービスを提供するインターネット上のサイトからダウンロードし、記憶部２８へインストールしてもよい。モバイル端末１２のプロセッサ（ＣＰＵ、ＧＰＵ等）は、記憶部２８に格納された送金Ａｐｐ５６をメインメモリに読み出して実行することにより、各機能ブロックの機能を発揮してもよい。
【００２６】
操作検出部４０は、タッチスクリーン２０にユーザが入力した操作を検出し、検出した操作を他の機能ブロックへ通知する。ログイン処理部４２は、ユーザのログイン要求に応じてユーザの認証処理を実行し、ユーザのログイン可否を決定する。
【００２７】
口座登録部４１は、ユーザが保持する口座の情報であり、ユーザがタッチスクリーン２０に入力した口座情報（金融機関名、口座番号、名義人氏名等）を登録口座記憶部３０に格納する。また、口座登録部４１は、ユーザの口座情報を、モバイル端末１２の電話番号とともにＧＷ装置１６に登録する。
【００２８】
表示制御部４４は、タッチスクリーン２０の表示内容を制御し、言い換えれば、送金Ａｐｐのユーザインタフェースを制御する。表示制御部４４は、ログイン処理部４２によるユーザの認証が成功した場合、送金Ａｐｐのトップ画面をタッチスクリーン２０に表示させる。表示制御部４４は、登録口座記憶部３０に記憶された口座情報を参照して、送金Ａｐｐのトップ画面として、ユーザが１つ以上の金融機関に保持する複数の口座に対応する複数のカードを並べた画面を表示させる。
【００２９】
図３は、送金Ａｐｐのトップ画面を模式的に示す。図３では、ユーザが３つの金融機関に開設した３つの口座に対応する口座カード６０ａ、口座カード６０ｂ、口座カード６０ｃ（総称する場合、「口座カード６０」と呼ぶ。）を示している。口座カード６０は、ユーザの口座ごとに設けられ、ユーザが１つの金融機関に複数の口座を保持する場合、それら複数の口座に対応する複数の口座カード６０が設けられる。口座カード６０の表面は、銀行名、支店名、預金種別、口座番号、資金量を含む。
【００３０】
破線で示すトップ画面６４ａは、送金Ａｐｐのデフォルトのトップ画面である。表示制御部４４は、トップ画面６４ａに、選択および操作が可能な口座カード６０として口座カード６０ａを表示させるとともに、口座カード６０ｂの一部（左端部）を表示させる。また、表示制御部４４は、トップ画面６４ａにおいて、右から左へのスワイプ操作またはフリック操作が入力された場合、一点鎖線で示すトップ画面６４ｂをトップ画面６４ａに代えて表示させる。表示制御部４４は、トップ画面６４ｂに、選択および操作が可能な口座カード６０として口座カード６０ｂを表示させるとともに、口座カード６０ａの一部（右端部）と口座カード６０ｃの一部（左端部）を表示させる。以下、送金Ａｐｐのトップ画面（トップ画面６４ａ、トップ画面６４ｂ等）を総称する場合、トップ画面６４と呼ぶ。
【００３１】
それぞれの口座カード６０は、二次元コード表示アイコン６２を含む。或る口座カード６０の二次元コード表示アイコン６２に対するタップ操作が入力された場合、表示制御部４４は、操作対象の口座カード６０を裏返すように回転させるアニメーションを表示させる。表示制御部４４は、操作対象の口座カード６０に対応する口座情報（金融機関コード、店番号、口座番号等）を登録口座記憶部３０から読み出し、読み出した口座情報をコード化した二次元コード画像を生成する。表示制御部４４は、生成した二次元コード画像を操作対象の口座カード６０の裏面に表示させる。
【００３２】
図２に戻り、口座情報取得部４６は、モバイル端末１２のユーザに関する情報（例えば金融機関装置１４におけるユーザの認証に必要な情報や口座番号等）を含む口座情報取得要求をＧＷ装置１６へ送信する。ＧＷ装置１６は、口座情報取得要求を受け付け、口座情報取得要求を金融機関装置１４へ転送する。口座情報取得部４６は、金融機関装置１４から送信され、ＧＷ装置１６により転送された、ユーザの認証結果と、認証に成功した場合は口座の資金量を取得する。
【００３３】
送金処理部４７は、送金Ａｐｐの画面に表示される複数の口座カード６０のうちユーザにより選択されたカードに対応する口座から、他の口座へ送金するための処理を実行する。或る口座から別の口座への送金処理は、モバイル端末１２の送金処理部４７、ＧＷ装置１６、金融機関装置１４の連携により実現されるが、公知の技術のため詳細の説明は省略する。振込先登録部４８は、ユーザにより登録が指示された振込先の情報をＧＷ装置１６に登録する。
【００３４】
カメラ起動部５０は、二次元コードの読み取りを指示する操作が入力された場合、カメラ部２２を起動する。画像取得部５２は、カメラ部２２により撮像された画像を取得する。画像解析部５４は、画像取得部５２により取得された画像内に二次元コードの像が含まれる場合、その二次元コードが示す口座情報を表示制御部４４に渡して表示させる。
【００３５】
以上の構成によるモバイル端末１２の動作を説明する。以下の説明では、図３で示したように、ユーザは３つの銀行に３つの口座を保持し、それら３つの口座の情報を予めモバイル端末１２の送信Ａｐｐに登録済みとする。すなわち、モバイル端末１２の登録口座記憶部３０には、図３に示した３つの口座の情報が格納されていることとする。
【００３６】
図４（ａ）−図４（ｆ）は、送金Ａｐｐのログイン画面およびトップ画面を示す。モバイル端末１２においてユーザが送金Ａｐｐを起動すると、モバイル端末１２の表示制御部４４は、ログイン画面７６を表示させる（図４（ａ））。ログイン画面７６は、ログインボタン７８を含む。ログイン画面７６においてログインボタン７８が押下されると、モバイル端末１２の表示制御部４４は、登録口座記憶部３０に記憶されたユーザの複数の口座に対応する複数の口座カード６０を並べたトップ画面６４を表示させる（図４（ｂ））。
【００３７】
表示制御部４４は、１つのトップ画面６４において１つの口座カード６０を操作可能に表示させるとともに、操作可能な口座カード６０とは異なる口座カード６０の一部をさらに表示させる。例えば、図４（ｂ）のトップ画面６４は、操作可能な口座カード６０として口座カード６０ａを含み、さらに口座カード６０ｂの一部を含む。この態様によると、操作可能な別の口座カード６０（口座カード６０ｂ）の存在をユーザに示唆でき、また、所望の口座への切替（スワイプ操作等）を促すことができる。また、トップ画面６４では１枚の口座カード６０のみ操作可能とすることで、モバイル端末１２の狭い表示領域においても口座情報の可読性を維持でき、また誤操作を防止しやすくなる。
【００３８】
複数の口座カード６０のそれぞれは切替アイコン６６を含む。切替アイコン６６は、目が開いた状態と、目が閉じた状態のいずれかに設定される。前者は口座の資金量を表示する状態に対応し、後者は口座の資金量を非表示とする状態に対応する。デフォルトでは、切替アイコン６６は目が開いた状態であり、表示制御部４４は、複数の口座カード６０のそれぞれに、各カードに対応する口座の資金量を表示させる。
【００３９】
図４（ｂ）のトップ画面６４で口座カード６０ａの切替アイコン６６に対するタップ操作が入力されると、表示制御部４４は、口座カード６０ａ、口座カード６０ｂ、口座カード６０ｃそれぞれの切替アイコン６６を、目が閉じた状態に切り替える。それとともに、表示制御部４４は、口座カード６０ａ、口座カード６０ｂ、口座カード６０ｃそれぞれにおける資金量の表示を非表示へ切り替える（図４（ｃ））。
【００４０】
この態様によると、モバイル端末１２の画面を他者に見られても、ユーザの口座の資金量が漏洩してしまうことを防止できる。なお、図４（ｃ）のトップ画面６４で口座カード６０ａの切替アイコン６６に対するタップ操作が検出されると、表示制御部４４は、口座カード６０ａ、口座カード６０ｂ、口座カード６０ｃそれぞれの切替アイコン６６を、目が開いた状態に切り替える。それとともに、表示制御部４４は、口座カード６０ａ、口座カード６０ｂ、口座カード６０ｃそれぞれにおいて資金量を再度表示させる。
【００４１】
ログイン画面７６においてログインボタン７８が押下されると、表示制御部４４がトップ画面６４を表示させることと並行して、口座情報取得部４６は、ユーザの複数の口座それぞれの最新の口座情報を取得するための口座情報取得要求をＧＷ装置１６へ送信する。口座情報取得部４６は、トップ画面６４が表示中にバックグラウンドで、ユーザが口座を保持する１つ以上の金融機関の金融機関装置１４から、ユーザの認証結果と、認証に成功した場合は最新の口座情報を取得する。口座情報取得部４６が特定の口座の最新の口座情報（例えば残高）を取得した場合、表示制御部４４は、その特定の口座に対応する口座カード６０に最新の口座情報（例えば残高）を反映させるようにトップ画面６４の表示を更新する。
【００４２】
特定の口座について、口座情報取得部４６により取得されたユーザの認証結果が認証失敗を示し、または、口座情報（例えば残高）の取得に失敗した場合、表示制御部４４は、その特定の口座に対応する口座カード６０をエラーを示す態様で表示させる。図４（ｄ）は、口座カード６０ａをエラー態様で表示させたトップ画面６４を示している。具体的には、表示制御部４４は、口座カード６０ａの上部に赤色のバー（帯オブジェクト）を、「再認証が必要である」旨のメッセージとともに表示させる。また、表示制御部４４は、当該ユーザの残高が過去取得されたことがなければ、本来は口座の残高を表示する領域に「残高を取得できない」旨を表示させる。なお、当該ユーザの残高が過去取得された場合、その残高と取得日時が登録口座記憶部３０に記憶される。この場合、表示制御部４４は、登録口座記憶部３０に記憶された、過去の取得日時（直近の残高取得日時）と、そのとき取得された残高を、エラーを示す赤色のバーとともに口座カード６０に表示させる。
【００４３】
なお、エラー表示のトップ画面６４（図４（ｄ））において後述のメニュー展開アイコン６８が操作された場合、表示制御部４４は、後述のメニューアイコン７２を表示させない。この場合、表示制御部４４は、口座カード６０ａの赤色のバー内の文字列を振動させて表示させることにより、操作を受け付けない旨をユーザに強調して示す。
【００４４】
また、複数の口座カード６０のそれぞれは二次元コード表示アイコン６２を含む。二次元コード表示アイコン６２は、口座カード６０が示す口座への送金（言い換えれば資金移動）に必要な口座情報をコード化した二次元コードを表示させるためのアイコンである。図４（ｂ）または図４（ｃ）のトップ画面６４で口座カード６０ａの二次元コード表示アイコン６２に対するタップ操作が入力されると、表示制御部４４は、口座カード６０ａを裏返す動作を表示させ、口座カード６０ａの裏面に、口座カード６０ａが示す口座の二次元コード画像を表示させる（図４（ｅ））。
【００４５】
後述するが、ユーザは、送金元となる他者に対して二次元コード画像を提示し、二次元コードを利用した送金を行わせる。実施例のモバイル端末１２（送金Ａｐｐ５６）によると、感覚的なカード操作で、口座情報を示す二次元コードを表示させることができる。なお、表示制御部４４は、二次元コードを表示させたトップ画面６４に戻るボタン７０を設ける（図４（ｅ））。戻るボタン７０に対するタップ操作が入力されると、表示制御部４４は、口座カード６０ａを裏返して表面を表示させ、すなわち、図４（ｂ）または図４（ｃ）のトップ画面６４を再度表示させる。
【００４６】
また、図４（ｂ）および図４（ｃ）のトップ画面６４は、メニュー展開アイコン６８を含む。メニュー展開アイコン６８に対するタップ操作が入力されると、表示制御部４４は、モバイルバンキング（実施例では送金）に関する複数のメニューアイコン７２をトップ画面６４に表示させる（図４（ｆ））。複数のメニューアイコン７２は、口座番号指定による送金を示すメニューアイコン７２ａ、電話番号指定による送金を示すメニューアイコン７２ｂ、ユーザが保持する口座間での送金を示すメニューアイコン７２ｃ、登録済の振込先への送金を示すメニューアイコン７２ｄ、二次元コードを利用した送金を示すメニューアイコン７２ｅを含む。
【００４７】
なお、複数のメニューアイコン７２の展開表示は、口座カード６０に対する所定のタッチ操作によっても可能である。表示制御部４４は、図４（ｂ）の口座カード６０ａに対する下から上へのスワイプ操作またはフリック操作が入力されると、メニュー展開アイコン６８に対するタップ操作入力時と同様に、複数のメニューアイコン７２を表示させる（図４（ｆ））。相対的に小さなメニュー展開アイコン６８に対するタップ操作より、相対的に大きな口座カード６０に対するスワイプ操作は容易であり、ユーザはより容易な操作で複数のメニューアイコン７２を展開表示させることができる。
【００４８】
トップ画面６４に複数のメニューアイコン７２を表示させた場合、表示制御部４４は、そのトップ画面６４に収容ボタン７４を表示させる（図４（ｆ））。収容ボタン７４に対するタップ操作が入力されると、表示制御部４４は、複数のメニューアイコン７２の展開表示を終了させ、図４（ｂ）または図４（ｃ）に示すトップ画面６４を再度表示させる。
【００４９】
図５（ａ）−図５（ｆ）は、口座番号指定による送金時の画面遷移を示す。図５（ａ）は、図４（ｆ）に対応し、複数のメニューアイコン７２が展開表示されたトップ画面６４を示している。図５（ａ）のトップ画面６４でメニューアイコン７２ａに対するタップ操作が入力されると、表示制御部４４は、図５（ｂ）に示す振込先指定画面８０を表示させる。振込先指定画面８０で振込先の銀行名、支店名、口座番号が入力されると、表示制御部４４は、図５（ｃ）に示す金額入力画面８４を表示させる。
【００５０】
図５（ｃ）の金額入力画面８４で金額が入力されると、表示制御部４４は、図５（ｄ）に示す確認画面８６を表示させる。図５（ｄ）の確認画面８６で振込実行ボタン８８に対するタップ操作が入力されると、送金処理部４７は、操作対象の口座カード６０（ここでは口座カード６０ａ）に対応する口座から、振込先指定画面８０で指定された口座へ、金額入力画面８４で指定された金額を送金する処理を実行する。例えば、送金処理部４７は、送金元口座情報、送金先口座情報、および送金金額を含む送金要求データをＧＷ装置１６へ送信する。以降、ＧＷ装置１６と、送金元口座がある金融機関の金融機関装置１４と、送金先口座がある金融機関の金融機関装置１４とが連携して送金処理を実行する。
【００５１】
送金処理部４７が、送金処理の完了を示すデータをＧＷ装置１６から取得すると、表示制御部４４は、図５（ｅ）に示す完了画面９０を表示させる。表示制御部４４は、振込先指定画面８０、金額入力画面８４、確認画面８６、完了画面９０に亘ってステップナビ８２を表示させる。ステップナビ８２は、送金処理におけるユーザの手順を明示するものであり、言い換えれば、送金完了までの複数のステップの中で現在どのステップであるかをユーザに提示するものである。
【００５２】
図５（ｅ）の完了画面９０は登録アイコン９２を含む。登録アイコン９２に対するタップ操作が入力されると、表示制御部４４は、図５（ｆ）に示す振込先登録画面９４を表示させる。振込先登録画面９４は、振込に関する任意のメモをユーザが入力可能な領域を含む。振込先登録画面９４において登録ボタン９６に対するタップ操作が入力されると、振込先登録部４８は、メモを含む振込先の情報（ここでは口座情報を含む）をＧＷ装置１６に登録する。
【００５３】
図６（ａ）−図６（ｇ）は、電話番号指定による送金時の画面遷移を示す。図６（ａ）は、図４（ｆ）に対応し、複数のメニューアイコン７２が展開表示されたトップ画面６４を示している。図６（ａ）のトップ画面６４でメニューアイコン７２ｂに対するタップ操作が入力されると、表示制御部４４は、図６（ｂ）に示す振込先指定画面１００を表示させる。振込先指定画面１００では、振込先の電話番号を直接入力することが可能である。また、振込先指定画面１００で「アドレス帳から指定」が選択されると、表示制御部４４は、アドレス帳記憶部３４を参照し、図６（ｃ）に示すアドレス帳画面１０２を表示させる。アドレス帳画面１０２で特定の人が選択されると、表示制御部４４は、その特定の人の電話番号を振込先として設定した振込先指定画面１００を再度表示させる。
【００５４】
振込先指定画面１００で電話番号の入力が終了すると、表示制御部４４は、図６（ｄ）に示す金額入力画面１０４を表示させる。図６（ｄ）の金額入力画面１０４で金額が入力されると、表示制御部４４は、図６（ｅ）に示す確認画面１０６を表示させる。このとき、口座情報取得部４６は、振込先指定画面１００に入力された電話番号をキーとして、その電話番号に対応付けられた口座情報をＧＷ装置１６から取得する。表示制御部４４は、口座情報取得部４６により取得された口座情報を確認画面１０６に表示させる。
【００５５】
図６（ｅ）の確認画面１０６で振込実行ボタン８８に対するタップ操作が入力されると、送金処理部４７は、操作対象の口座カード６０（ここでは口座カード６０ａ）に対応する口座から、口座情報取得部４６により情報が取得された口座（ここでは名義人「ヤマダタロウ」の口座）へ、金額入力画面１０４で指定された金額を送金する処理を実行する。ここでの送金する処理は、口座番号指定による送金時と同様である。
【００５６】
送金処理部４７が、送金処理の完了を示すデータをＧＷ装置１６から取得すると、表示制御部４４は、図６（ｆ）に示す完了画面１０８を表示させる。図６（ｆ）の完了画面１０８は登録アイコン９２を含む。登録アイコン９２に対するタップ操作が入力されると、表示制御部４４は、図６（ｇ）に示す振込先登録画面１１０を表示させる。振込先登録画面１１０は、任意のメモを入力可能な領域を含む。振込先登録画面１１０において登録ボタン９６に対するタップ操作が入力されると、振込先登録部４８は、メモを含む振込先の情報（ここでは電話番号を含む）をＧＷ装置１６に登録する。
【００５７】
次に１人のユーザが保持する複数の口座間での送金処理を説明する。詳細は後述するが、モバイル端末１２の表示制御部４４は、ユーザが保持する複数の口座に対応する複数の口座カード６０のうち第１の口座カード６０（例えば口座カード６０ａ）に対して第１のタッチ操作が入力され、第１の口座カード６０とは異なる第２の口座カード６０（例えば口座カード６０ｂ）に対して第２のタッチ操作が入力された場合、第１の口座カード６０に対応する口座から、第２の口座カード６０に対応する口座へ送金するための処理を実行する。第１のタッチ操作と第２のタッチ操作は、同じ操作であってもよく、異なる操作であってもよい。
【００５８】
図７（ａ）−図７（ｅ）は、ユーザが保持する複数の口座間での送金時の画面遷移を示す。図７（ａ）は、図４（ｆ）に対応し、複数のメニューアイコン７２が展開表示されたトップ画面６４を示している。図７（ａ）のトップ画面６４でメニューアイコン７２ｃに対するタップ操作が入力されると、表示制御部４４は、図７（ｂ）に示す移動先指定画面１１２を表示させる。
【００５９】
なお、複数のメニューアイコン７２を表示前のトップ画面６４における所定のタッチ操作によっても、図７（ｂ）の移動先指定画面１１２へ遷移させることが可能である。具体的には、図４（ｂ）および図４（ｃ）に示したトップ画面６４において口座カード６０ａに対する上から下へのスワイプ操作（またはフリック操作）が入力された場合、表示制御部４４は、図７（ｂ）の移動先指定画面１１２を表示させる。
【００６０】
移動先指定画面１１２は、トップ画面６４において操作対象とされた口座カード６０（図７（ａ）では口座カード６０ａ）に対応する口座を振込元口座として示し、他の口座カード６０（例えば口座カード６０ｂ、口座カード６０ｃ）の中から振込先口座を選択する画面である。図７（ｂ）の移動先指定画面１１２において、振込元口座である口座カード６０ａは、画面下方に、トップ画面６４における口座カード６０ａより小さく表示される。スワイプ操作により図７（ｂ）の移動先指定画面１１２を表示させる場合、そのスワイプ操作の方向に口座カード６０ａが移動し、かつ、縮小表示されることになる。
【００６１】
一方、図７（ｂ）の移動先指定画面１１２において、振込先口座の候補である口座カード６０ｂおよび口座カード６０ｃは、画面上方に並べて、口座カード６０ａより小さく表示される。ユーザは、横方向のスワイプ操作によりフォーカスする口座カード６０（例えば口座カード６０ｂ、口座カード６０ｃのいずれか）を選択し、ＯＫボタンをタップすることにより、選択した口座カード６０が示す口座を振込先口座として決定する。
【００６２】
図７（ｂ）の移動先指定画面１１２で振込先口座が決定されると、表示制御部４４は、図７（ｃ）に示す金額入力画面１１４を表示させる。図７（ｃ）の金額入力画面１１４で振込金額が入力されると、表示制御部４４は、図７（ｄ）に示す確認画面１１６を表示させる。図７（ｄ）の確認画面１１６で振込実行ボタン８８に対するタップ操作が入力されると、送金処理部４７は、振込元の口座（ここでは口座カード６０ａに対応する口座）から、振込先の口座（ここでは口座カード６０ｂに対応する口座）へ、金額入力画面１１４で入力された金額を送金する処理を実行する。ここでの送金する処理は、口座番号指定による送金時と同様である。
【００６３】
送金処理部４７が、送金処理の完了を示すデータをＧＷ装置１６から取得すると、表示制御部４４は、図６（ｅ）に示す完了画面１１８を表示させる。このように、実施例のモバイル端末１２（送金Ａｐｐ５６）によると、頻度が高いと想定されるユーザ自身の口座間での資金移動を、他者の口座への送金に比べて、より少ない手順、かつ、より簡単な操作によって実現することができる。
【００６４】
図８（ａ）と図８（ｂ）は、登録済の振込先への送金時の画面遷移を示す。図８（ａ）は、図４（ｆ）に対応し、複数のメニューアイコン７２が展開表示されたトップ画面６４を示している。図８（ａ）のトップ画面６４でメニューアイコン７２ｄに対するタップ操作が入力されると、表示制御部４４は、図８（ｂ）に示す振込先指定画面１２０を表示させる。口座情報取得部４６は、ＧＷ装置１６に登録された１つ以上の振込先の情報をＧＷ装置１６から取得し、表示制御部４４は、取得された１つ以上の振込先の情報を並べた振込先指定画面１２０を表示させる。
【００６５】
図８（ｂ）の振込先指定画面１２０で特定の口座（すなわち口座番号指定による送金実績がある口座）が選択された場合、表示制御部４４は、図５（ｃ）に示した金額入力画面８４を表示させる。以降、口座番号指定による送金時と同様の画面遷移になる。また、図８（ｂ）の振込先指定画面１２０で特定の電話番号（すなわち電話番号指定による送金実績がある電話番号）が選択された場合、表示制御部４４は、図６（ｄ）に示した金額入力画面１０４を表示させる。以降、電話番号指定による送金時と同様の画面遷移になる。
【００６６】
図９（ａ）と図９（ｂ）は、二次元コード読み取りによる送金時の画面遷移を示す。図９（ａ）は、図４（ｆ）に対応し、複数のメニューアイコン７２が展開表示されたトップ画面６４を示している。図９（ａ）のトップ画面６４でメニューアイコン７２ｅに対するタップ操作が入力されると、カメラ起動部５０はカメラ部２２を起動し、画像取得部５２はカメラ部２２により撮像された画像を取得する。表示制御部４４は、画像取得部５２により取得された画像を表示する画面であり、二次元コードの読み取りを支援する読取画面１２２を表示させる。ユーザは、読取画面１２２が表示された状態で、他のモバイル端末（すなわち送金先となる他者の端末）に表示された二次元コードを、自身のモバイル端末１２のカメラ部２２で撮像する。
【００６７】
画像解析部５４は、画像取得部５２により取得された画像に二次元コードが含まれる場合、その二次元コードが示す口座情報を抽出して表示制御部４４に渡す。表示制御部４４は、画像解析部５４から口座情報を受け付けると、図５（ｃ）に示した金額入力画面８４であり、その口座情報を設定した金額入力画面８４を表示させる。以降、口座番号指定による送金時と同様の画面遷移になり、二次元コードを端末に表示させた他者へ送金することができる。このように、実施例のモバイル端末１２（送金Ａｐｐ５６）によると、送金先となる他者のモバイル端末１２に表示された二次元コードを読み込ませることで、その他者の口座への送金を簡単な操作で実現できる。
【００６８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６９】
上記実施例のモバイル端末１２は、ユーザの口座情報を登録口座記憶部３０に記憶し、登録口座記憶部３０に記憶された口座情報をトップ画面６４の口座カード６０に表示した。変形例として、モバイル端末１２は、ユーザの口座情報を永続的に記憶しなくてもよい。例えば、モバイル端末１２の口座情報取得部４６は、ユーザが送金Ａｐｐにログインした際に、ＧＷ装置１６または金融機関装置１４からユーザの口座情報を取得し、表示制御部４４は、口座情報取得部４６により取得された口座情報をトップ画面６４の口座カード６０に表示してもよい。
【００７０】
上記実施例では言及していないが、モバイル端末１２は、生体認証（例えば指紋認証）によりユーザの本人確認を行う生体認証部を備えてもよい。生体認証部は、モバイル端末１２に標準搭載される機能であってもよく、すなわち公知技術により実現されてもよい。この変形例では、図５（ｄ）の確認画面８６で振込実行ボタン８８に対するタップ操作が入力された場合、表示制御部４４は、生体認証のための画面を表示させてもよい。この画面は、モバイル端末１２に搭載された所定のセンサーに指をタッチするようユーザを促す内容を含んでもよい。送金処理部４７は、生体認証部による認証（ユーザの本人確認）が成功したことを条件として送金処理を実行してもよい。図６（ｅ）の確認画面１０６で振込実行ボタン８８に対するタップ操作が入力された場合、および、図７（ｄ）の確認画面１１６で振込実行ボタン８８に対するタップ操作が入力された場合も同様である。この構成によると、送金処理の安全性を一層高め、また、送金に対するユーザの心理的な負荷を軽減することができる。
【００７１】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【符号の説明】
【００７２】
１２  モバイル端末、  ２０  タッチスクリーン、  ２２  カメラ部、  ４４  表示制御部、  ４７  送金処理部、  ６０  口座カード。
【図１】
2020027500.tif 000003
【図２】
2020027500.tif 000004
【図３】
2020027500.tif 000005
【図４】
2020027500.tif 000006
【図５】
2020027500.tif 000007
【図６】
2020027500.tif 000008
【図７】
2020027500.tif 000009
【図８】
2020027500.tif 000010
【図９】
2020027500.tif 000011